(57)【特許請求の範囲】
【請求項１】
破砕機の主軸を受けるための中央ハブ（２２）と、
上縁（３６）と、
内壁（１４）、外壁（１６）、および底部（１８、５８ａ、５８ｂ）を有するスパイダーアーム（１２）と、
を備え、
前記上縁（３６）から下部フランジ（２４）に向かってＵ字型空洞が延在し、
前記Ｕ字型空洞は、前記内壁（１４）と前記底部（１８、５８ａ、５８ｂ）によって前記スパイダーアーム（１２）内に定められ、前記中央ハブから少なくとも前記上縁（３６）の下方に延在する、
破砕機の上部フレーム。
【請求項２】
前記Ｕ字型空洞は前記上縁（３６）から前記下部フランジ（２４）まで延在することを特徴とする、請求項１に記載の上部フレーム。
【請求項３】
前記上縁（３６）は上部フランジ（５６）を備えることを特徴とする、請求項１または２に記載の上部フレーム。
【請求項４】
前記上部フランジ（５６）は前記Ｕ字型空洞を中断することを特徴とする、請求項３に記載の上部フレーム。
【請求項５】
摩耗部品のための取付手段をさらに備えることを特徴とする、請求項１から４のいずれかに記載の上部フレーム。
【請求項６】
前記Ｕ字型空洞の縁部は、前記Ｕ字型空洞に隣接する前記取付手段と共に曲線（３４）を形成するように形成されることを特徴とする、請求項５に記載の上部フレーム。
【請求項７】
前記取付手段は結合されて環状の突出部を形成することを特徴とする、請求項５に記載の上部フレーム。
【請求項８】
吊上具のための取付手段（３０）をさらに備えることを特徴とする、請求項１から７のいずれかに記載の上部フレーム。
【請求項９】
前記取付手段（３０）は複数の鋳造ブラケットを含むことを特徴とする、請求項８に記載の上部フレーム。
【請求項１０】
前記Ｕ字型空洞の前記底部（１８、５８ａ、５８ｂ）の表面は、前記上縁（３６）から前記中央ハブ（２２）まで、および／または前記下部フランジ（２４）から前記上縁（３６）まで連続的な曲線形状を有することを特徴とする、請求項１から９のいずれかに記載の上部フレーム。
【請求項１１】
前記上部フレームの直径が前記下部フランジ（２４）に向かって実質的に連続的に増大することを特徴とする、請求項１から１０のいずれかに記載の上部フレーム。
【請求項１２】
請求項１から１１のいずれかに記載の前記上部フレームを備えることを特徴とする、コーンクラッシャーまたはジャイレトリクラッシャー。
【請求項１３】
請求項１２に記載の前記コーンクラッシャーまたは前記ジャイレトリクラッシャーを備えることを特徴とする、鉱物材料加工プラント。
【請求項１４】
前記鉱物材料加工プラントは移動型加工プラントであることを特徴とする、請求項１３に記載の鉱物材料加工プラント。
【発明の詳細な説明】
【技術分野】
【０００１】
本発明は鉱物材料の加工に関する。特に、ただし排他的にではなく、本発明はジャイレトリクラッシャーおよびコーンクラッシャーに関する。特に、ただし排他的にではなく、本発明はジャイレトリクラッシャーの上部フレームに関する。
【背景技術】
【０００２】
ジャイレトリクラッシャーおよびコーンクラッシャーは、岩石などの鉱物材料の加工に用いられる。
【０００３】
ジャイレトリクラッシャーは、上部フレームと下部フレームとを含むフレームを備える。鉱物材料は、外側破砕部材と内側破砕部材との間の破砕空洞内で破砕される。外側破砕部材は従来はジャイレトリクラッシャーのフレームに固定され、内側破砕部材は揺動軸組立体に装着される。揺動軸組立体の主軸は、スパイダーまたはスパイダーアームとしても知られる複数の支持アームによって上部で支持され、支持構造によって底部でも支持される。上部フレームの支持アームと、上部フレームの開口部によって、加工対象の鉱物材料を破砕空洞に供給する供給口を定める。
【０００４】
鉱物材料加工プラント構造と、それに含まれる破砕機は、変動する大きな応力と衝撃に耐えることができる必要がある。したがって、破砕機のフレームは可能な限り頑丈な構造を有する必要がある一方で、使用、設置、および保守が容易である必要があり、また重すぎてはならない。
【０００５】
米国特許出願公開第２０１１／１９２９２７号によると、各スパイダーアームがほぼＵ字型の断面を有するスパイダーアーム組立体が既知である。
【０００６】
本発明は、破砕機の改良された上部フレームを提供することを目的とする。
【摘要】
【０００７】
本発明の第１の例示的態様によると、破砕機の上部フレームが提供される。前記上部フレームは、前記破砕機の主軸を受けるための中央ハブと、上縁と、スパイダーアームと、を備え、前記上縁から下部フランジに向かってＵ字型空洞が延在する。
【０００８】
前記Ｕ字型空洞は前記上縁から前記下部フランジまで延在してもよい。
【０００９】
前記上縁は上部フランジを備えてもよい。
【００１０】
前記スパイダーアームは、内壁および外壁を含む壁部と、底部を有する。
【００１１】
前記Ｕ字型空洞は、前記内壁と前記底部によって前記スパイダーアーム内に定められてもよく、前記中央ハブから少なくとも前記上縁の下方に延在してもよい。
【００１２】
前記上部フランジは、前記Ｕ字型空洞を中断してもよい。
【００１３】
前記上部フレームは、摩耗部品のための取付手段をさらに備えてもよい。
【００１４】
前記Ｕ字型空洞の縁部は、前記Ｕ字型空洞に隣接する前記取付手段と共に曲線を形成するように形成されてもよい。
【００１５】
前記取付手段は結合されて環状の突出部を形成してもよい。
【００１６】
前記上部フレームは、吊上具のための取付手段をさらに備えてもよい。
【００１７】
前記取付手段は複数の鋳造ブラケットを含んでもよい。
【００１８】
前記Ｕ字型空洞の前記底部の表面は、前記上縁から前記中央ハブまで、および／または前記下部フランジから前記上縁まで連続的な曲線形状を有してもよい。
【００１９】
前記上部フレームの直径が前記下部フランジに向かって実質的に連続的に増大してもよい。
【００２０】
本発明の第２の例示的態様によると、前記第１の例示的態様による前記上部フレームを備えるコーンクラッシャーまたはジャイレトリクラッシャーが提供される。
【００２１】
本発明の第３の例示的態様によると、前記第２の例示的態様による前記コーンクラッシャーまたは前記ジャイレトリクラッシャーを備える鉱物材料加工プラントが提供される。
【００２２】
前記鉱物材料加工プラントは移動型加工プラントであってもよい。
【００２３】
本発明の異なる実施形態は、本発明のいくつかの態様に関してのみ説明される、または説明されたものである。当業者は、本発明の一態様におけるいずれの実施形態も、本発明の当該態様および他の態様に単独あるいは他の実施形態との組合わせによっても適用可能であることを理解するであろう。
【図面の簡単な説明】
【００２４】
本発明を、添付の概略図面を参照して、例を用いて以下に説明する。
【図１】図１は、本発明の一実施形態による上部フレームの側面図である。
【図２】図２は、本発明の一実施形態による上部フレームの側面図である。
【図３】図３は、本発明の一実施形態による上部フレームの上面図である。
【図４】図４は、本発明の一実施形態による上部フレームの図である。
【図５】図５は、本発明の一実施形態による上部フレームの側面図である。
【図６】図６は、本発明の一実施形態による上部フレームの側面図である。
【図７】図７は、本発明の一実施形態による上部フレームの上面図である。
【図８】図８は、本発明の一実施形態による上部フレームの図である。
【図９】図９は、本発明の一実施形態による上部フレームの側面図である。
【図１０】図１０は、本発明の一実施形態による移動型鉱物材料加工プラントの概略図である。
【図１１】図１１は、本発明の一実施形態による破砕機の図である。
【詳細説明】
【００２５】
以下の説明において、同様の要素には同様の番号を付している。示される図は必ずしも縮尺に従ったものではなく、これらの図は、本発明の例示的実施形態のいくつかを示すことを主たる目的とするものであることを理解されたい。
【００２６】
図１から図４は、本発明の一実施形態による上部フレームを示している。図１から図４は、下部フランジ２４と、スパイダーアーム構造、すなわちスパイダーアームまたはアーム１２と、中央ハブ２２とを備える上部フレーム１０を示している。中央ハブ２２は、破砕機の主軸のための孔２０を有する。スパイダーアーム構造は、中央ハブ２２から上縁３６へと延在する。一実施形態において、上部フレーム１０は、その直径が上部フレーム１０の下部フランジ２４に向かって実質的に連続的に増大する、すなわち上部フレームが下方向に拡大するように形成される。Ｕ字型空洞は、上縁３６から下部フランジ２４に向かって延在する。別の実施形態において、Ｕ字型空洞は上縁から下部フランジ２４まで延在する。
【００２７】
スパイダーアーム構造１２は、一実施形態において、内壁１４および外壁１６を含む側壁と、底部１８とを有する。スパイダーアーム１２は、中央ハブ２２の両側に同様に配置され、長手方向の対角線に対して対称に配置される。一実施形態において、アームの内面は丸みがあり、すなわち下面が長手方向と横方向の両方に実質的に連続的に湾曲している。これによって、破砕対象の材料のための空間ができると同時に、各スパイダーアームの張力を緩和する。一実施形態において、実質的にＵ字型の空洞は、スパイダーアーム１２内で内壁１４と底部によって定められまたは形成され、すなわち、底部１８から離れる方向に開放している空洞である。空洞の断面の正確な形状は、一実施形態において、状況に応じて選択されることに注意されたい。すなわち、側壁１４の角度と、角の面取りまたは丸みは、状況に応じて異なる場合がある。底部１８と内壁１４によってその間に空洞が定められ、この空洞は底部と、そこから立ち上がる壁部とを有し、その断面が文字Ｕに似ているという点で、断面はＵ字型である。この空洞のＵ字型によって、上部フレームの肉厚が削減され、上部フレームの鋳造がより容易になり、誤差も起こりにくくなる。
【００２８】
側壁１４と底部１８によって形成されたＵ字型空洞は、中央ハブ２２から下部フランジ２４へと延在する。すなわち、アームの水平部分と垂直部分の両方によってＵ字型空洞が設けられ、頑丈な構造を提供する一方で、上部フレーム１０の重量が削減される。別の実施形態において、側壁１４と底部１８によって形成されたＵ字型空洞が、中央ハブ２２から少なくとも上縁３６の下方に延在する。一実施形態において、底部１８の厚さと、中央ハブ２２の垂直中心線からの底部１８の距離は、底部フランジ２４に向かって増加する。一実施形態において、Ｕ字型空洞の底部１８の表面は、上縁３６から中央ハブ２２まで、および／または下部フランジ２４から上縁３６まで連続的な曲線形状を有する。
【００２９】
上部フレーム１０は取付手段をさらに備える。取付手段には、例えば、上部フレームを破砕機の下部フレームに取り付けるための孔２６と、吊上具を上部フレーム１０に取り付けるためのブラケットまたはラグ３０がある。ブラケット３０が上部フレーム１０と一体的に形成されているため、製造、整備、または搬送の際に、ボルトや溶接取付部などの別途の取付手段は不要である。上部フレームは、アーム構造１２および中央ハブ２２と共に供給口を定める上縁３６をさらに備える。上縁３６は、供給シュートまたは供給ホッパを上部フレーム１０に取り付けるための取付手段、例えば孔３８を有する。
【００３０】
上部フレーム１０は、摩耗部品すなわち破砕シェルを上部フレーム１０に取り付けるための取付手段、例えば孔付きブラケット２８、３２をさらに備える。一実施形態において、アームの外壁１６は、アームに隣接する取付手段３２と共に曲線３４を形成するように形成され、これによって上部フレーム１０の構造がさらに強化される。曲線３４は、取付手段３２の構造を強化することにより、より頑丈な上部フレーム構造を提供する。別の実施形態において、取付手段２８、３２はすべて結合されて環状の突出部を形成し、上部フレーム１０の構造をさらに強化する。
【００３１】
別の実施形態において、上部フレーム１０は、図１から図４に示さない、垂直補強リブやさらなる取付手段などのさらなる要素を備える。一実施形態において、上部フレーム全体は一体構造として製造される。
【００３２】
図５から図８は、本発明の一実施形態による上部フレームを示している。図５から図８は、下部フランジ２４と、スパイダーアーム構造、すなわちスパイダーアームまたはアーム１２と、中央ハブ２２とを備える上部フレーム１０を示している。中央ハブ２２は、破砕機の主軸のための孔２０を有する。スパイダーアーム構造は、中央ハブ２２から上縁３６へと延在する。一実施形態において、アームの内面は丸みがあり、すなわち下面が長手方向と横方向の両方に実質的に連続的に湾曲している。これによって、破砕対象の材料のための空間ができると同時に、各スパイダーアームの張力を緩和する。一実施形態において、上部フレーム１０は、その直径が上部フレーム１０の下部フランジ２４に向かって実質的に連続的に増大する、すなわち上部フレームが下方向に拡大するように形成される。Ｕ字型空洞は、上縁３６から下部フランジ２４に向かって延在する。別の実施形態において、Ｕ字型空洞は上縁から下部フランジ２４まで延在する。
【００３３】
上部フレームは、アーム構造１２および中央ハブ２２と共に供給口を定める上部フランジ５６を、上縁にさらに備える。上部フランジ５６は、供給シュートまたは供給ホッパを上部フレーム１０に取り付けるための取付手段、例えば孔３８を備える。上部フランジ５６によって、供給シュートまたは供給ホッパの容易な取付が可能になる。一実施形態において、上部フランジ５６はＵ字型空洞を中断する、すなわち、上部フレーム１０の周囲に完全な環を形成する。
【００３４】
スパイダーアーム構造１２は、一実施形態において、内壁１４および外壁１６を含む側壁と、底部５８ａ、５８ｂとを有する。スパイダーアーム１２は、中央ハブ２２の両側に同様に配置され、長手方向の対角線に対して対称に配置される。一実施形態において、実質的にＵ字型の空洞は、スパイダーアーム１２内で内壁１４と底部５８ａ、５８ｂによって定められまたは形成され、すなわち、底部５８ａ、５８ｂから離れる方向に開放している空洞である。空洞の断面の正確な形状は、一実施形態において、状況に応じて選択されることに注意されたい。すなわち、側壁１４の角度と、角の面取りまたは丸みは、状況に応じて異なる場合がある。底部５８ａ、５８ｂと内壁１４によってその間に空洞が定められ、この空洞は底部と、そこから立ち上がる壁部とを有し、その断面が文字Ｕに似ているという点で、断面はＵ字型である。この空洞のＵ字型によって、上部フレームの肉厚が削減され、上部フレームの鋳造がより容易になり、誤差も起こりにくくなる。一実施形態において、Ｕ字型空洞の底部５８ａ、５８ｂの表面は、上縁３６から中央ハブ２２まで、および／または下部フランジ２４から上縁３６まで連続的な曲線形状を有する。
【００３５】
側壁１４と底部５８ａ、５８ｂによって形成されたＵ字型空洞は、中央ハブ２２から下部フランジ２４へと延在する。すなわち、アームの水平部分と垂直部分の両方によってＵ字型空洞が設けられ、頑丈な構造を提供する一方で、上部フレーム１０の重量が削減される。別の実施形態において、側壁１４と底部１８によって形成されたＵ字型空洞が、中央ハブ２２から少なくとも上部フランジ５６の下方に延在する。一実施形態において、底部１８の厚さと、中央ハブ２２の垂直中心線からの底部１８の距離は、底部フランジ２４に向かって増加する。一実施形態において、上部フランジ５６はＵ字型空洞を中断するが、上部フランジ５６の両側の空洞はＵ字型の断面を有する。Ｕ字型空洞が下部フランジ２４まで、または少なくとも上部フランジ５６の下方に延在するため、上部フレームに影響を及ぼす力が、上部フランジ５６と下部フランジ２４の間でより均等に分散される。
【００３６】
上部フレーム１０は取付手段をさらに備える。取付手段には、例えば、上部フレームを破砕機の下部フレームに取り付けるための孔２６と、吊上具を上部フレーム１０に取り付けるためのブラケットまたはラグ３０がある。ブラケット３０が上部フレーム１０と一体的に形成されているため、製造、整備、または搬送の際に、ボルトや溶接取付部などの別途の取付手段は不要である。
【００３７】
上部フレーム１０は、摩耗部品を上部フレーム１０に取り付けるための取付手段、例えば孔付きブラケット２８、３２をさらに備える。一実施形態において、アームの外壁１６は、アームに隣接する取付手段３２と共に曲線３４を形成するように形成され、これによって上部フレーム１０の構造がさらに強化される。曲線３４は、取付手段３２の構造を強化することにより、より頑丈な上部フレーム構造を提供する。別の実施形態において、取付手段２８、３２はすべて結合されて環状の突出部を形成し、上部フレーム１０の構造をさらに強化する。
【００３８】
別の実施形態において、上部フレーム１０は、図５から図８に示さない、水平補強リブやさらなる取付手段などのさらなる要素を備える。一実施形態において、上部フレーム全体は一体構造として製造される。
【００３９】
図９は、本発明の一実施形態による上部フレームを示している。図９の上部フレームは、図５から図８の上部フレームと同様の要素を備える。加えて、外壁１６がＡ字型構造４０を有するように、すなわち外壁の下部がＵ字型空洞から離れる方向に延在するように形成される。
【００４０】
図１０は、本発明の一実施形態による移動型鉱物材料加工プラント１２００を示している。この加工プラントは、地上でプラントを移動させるための車輪または無限軌道と、破砕機２００と、排出コンベア１３０と、材料を供給するための、フィーダおよび／またはコンベア１１０、１１１などの供給システムとを備える。加工プラントは、自走式破砕プラントであることが好ましい。
【００４１】
図１１は、本発明の一実施形態による破砕機２００を示している。この破砕機は、フレームと、上部フレーム２０１および下部フレーム２０２と、主軸２０３と、偏心組立体２０４と、外側破砕部２０５と、内側破砕部２０６と、トランスミッション２０７と、破砕機ヘッド２０８とを備える。
【００４２】
トランスミッションは、主軸を中心に偏心組立体を回転させ、内側破砕部と外側破砕部の間に旋回運動を生じさせるために配置される。
【００４３】
以下に記載する請求の範囲、その解釈、または適用をなんら限定することなく、本明細書に開示した実施形態の１つ以上における技術的効果は、上部フレームの強度の向上である。本明細書に開示した例示的実施形態の１つ以上における別の技術的効果は、構造の強度を損なうことなく上部フレームの重量を削減することである。本明細書に開示した例示的実施形態の１つ以上における別の技術的効果は、上部フレームのより容易な保守である。本明細書に開示した例示的実施形態の１つ以上におけるさらに別の技術的効果は、上部フレームのより容易な製造である。本明細書に開示した例示的実施形態の１つ以上におけるさらに別の技術的効果は、上部フランジと下部フランジの各領域の間で破砕力がより均等に分散されることである。
【００４４】
前述の説明において、本発明のいくつかの実施形態について非限定的な例を示した。本発明は、提示された詳述内容に限定されるものではなく、他の同等の手段によって実施可能であることは当業者に明らかである。
【００４５】
上記開示の実施形態のいくつかの特徴は、他の特徴を用いることなく有利に用いられうる。よって、上述の説明は、本発明の原理の単なる例示にすぎず、それに限定されるものではない。よって、本発明の範囲は添付の特許請求の範囲によってのみ限定される。
【図１】
0006596152.tif 000002
【図２】
0006596152.tif 000003
【図３】
0006596152.tif 000004
【図４】
0006596152.tif 000005
【図５】
0006596152.tif 000006
【図６】
0006596152.tif 000007
【図７】
0006596152.tif 000008
【図８】
0006596152.tif 000009
【図９】
0006596152.tif 000010
【図１０】
0006596152.tif 000011
【図１１】
0006596152.tif 000012